【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
１ショット間にエネルギーが変化する放射線が被写体に照射され、当該１ショット間に前記被写体を透過した前記放射線を複数回検出して得られた、互いに異なる放射線エネルギーによる複数の画像を取得する取得手段と、
複数の画像を用いてエネルギーサブトラクション処理を行い、エネルギーサブトラクション画像を生成する第１の生成手段と、
前記第１の生成手段で生成された複数のエネルギーサブトラクション画像を用いて差分画像を生成する第２の生成手段と、を備え、
前記第１の生成手段は、第１の放射線エネルギーにより得られる第１の画像と、前記第１の放射線エネルギーとは異なる第２の放射線エネルギーにより得られる第２の画像を用いてエネルギーサブトラクション処理を行って、第１の物質の厚さに関わる第１のエネルギーサブトラクション画像と、前記第１の物質とは異なる第２の物質の厚さに関わる第２のエネルギーサブトラクション画像を生成し、
前記第２の生成手段は、前記第１のエネルギーサブトラクション画像を用いてデジタル差分血管造影法による差分画像を生成し、
前記第１の生成手段は、前記第１の物質と前記第２の物質の厚みの変化により生じる減弱率の変化を考慮した前記第１の画像が示す減弱率と前記第２の画像が示す減弱率の組合せに応じて第１の物質と第２の物質の厚みが登録された２次元のテーブルを参照し、前記第１の画像と前記第２の画像から前記第１の物質の厚さに関わる前記第１のエネルギーサブトラクション画像と前記第２の物質の厚さに関わる前記第２のエネルギーサブトラクション画像を得ることを特徴とする撮影制御装置。
【請求項２】
前記第１の生成手段は、前記第１の放射線エネルギーにおける前記第１の物質と前記第２の物質のそれぞれの線減弱係数と、前記第２の放射線エネルギーにおける前記第１の物質と前記第２の物質のそれぞれの線減弱係数とに基づいて、前記第１のエネルギーサブトラクション画像と前記第２のエネルギーサブトラクション画像を生成することを特徴とする請求項１に記載の撮影制御装置。
【請求項３】
前記第１の物質は骨であり、前記第２の物質は軟部組織であることを特徴とする請求項２に記載の撮影制御装置。
【請求項４】
１ショット間にエネルギーが変化する放射線が被写体に照射され、当該１ショット間に前記被写体を透過した前記放射線を複数回検出して得られた、互いに異なる放射線エネルギーによる複数の画像を取得する取得手段と、
複数の画像を用いてエネルギーサブトラクション処理を行い、エネルギーサブトラクション画像を生成する第１の生成手段と、
前記第１の生成手段で生成された複数のエネルギーサブトラクション画像を用いて差分画像を生成する第２の生成手段と、を備え、
前記第１の生成手段は、第１の放射線エネルギーにより得られる第１の画像と、前記第１の放射線エネルギーとは異なる第２の放射線エネルギーにより得られる第２の画像を用いてエネルギーサブトラクション処理を行って、実効原子番号の画像と面密度の画像を前記エネルギーサブトラクション画像として取得することを特徴とする撮影制御装置。
【請求項５】
前記第２の生成手段は、造影剤の注入前と注入後で前記第１の生成手段により得られる前記実効原子番号の画像を用いてデジタル差分血管造影法による差分画像を生成することを特徴とする請求項４に記載の撮影制御装置。
【請求項６】
前記第２の生成手段は、造影剤の注入前と注入後で前記第１の生成手段により得られる前記実効原子番号と前記面密度の画像を用いてデジタル差分血管造影法による差分画像を生成することを特徴とする請求項４に記載の撮影制御装置。
【請求項７】
前記第２の生成手段は、前記実効原子番号の画像と前記面密度の画像に基づいて生成されたマスク画像をそれぞれＺＭ、ＤＭとし、前記実効原子番号の画像と前記面密度の画像に基づいて生成されたライブ画像をそれぞれＺＬ、ＤＬとした場合に、面密度の差分画像であるＤＤＳＡと実行原子番号の差分画像であるＺＤＳＡを、
2019162358.tif 000001
（ただし、ｎは２．５以上、３以下の実数）
により生成することを特徴とする請求項６に記載の撮影制御装置。
【請求項８】
前記第２の生成手段は、実効原子番号の差分画像に基づいてＨＬＳ色空間の色相Ｈを決定し、面密度の差分画像に基づいてＨＬＳ色空間の輝度Ｌを決定することにより、カラー画像を生成することを特徴とする請求項６または７に記載の撮影制御装置。
【請求項９】
前記第１の生成手段は、実効原子番号と面密度の変化により生じる減弱率の変化を考慮して、前記第１の画像と前記第２の画像から実効原子番号の画像と面密度の画像を得ることを特徴とする請求項４乃至８のいずれか１項に記載の撮影制御装置。
【請求項１０】
前記第１の生成手段は、前記第１の画像が示す減弱率と前記第２の画像が示す減弱率の組合せに応じて実効原子番号と面密度が登録された２次元のテーブルを参照することを特徴とする請求項９に記載の撮影制御装置。
【請求項１１】
前記第２の生成手段は、造影剤の注入前に前記第１の生成手段により得られるエネルギーサブトラクション画像を用いてマスク画像を生成し、造影剤の注入後に前記第１の生成手段により得られるエネルギーサブトラクション画像を用いてライブ画像を生成して前記マスク画像との差分画像を生成することを特徴とする請求項１乃至１０のいずれか１項に記載の撮影制御装置。
【請求項１２】
前記第２の生成手段は、前記第１の生成手段により得られるエネルギーサブトラクション画像のうち、現在のフレームよりも過去の複数のフレームの処理画像に基づいてマスク画像を生成し、現在のフレームのエネルギーサブトラクション画像をライブ画像として用いて前記マスク画像との差分画像を生成することを特徴とする請求項１乃至１０のいずれか１項に記載の撮影制御装置。
【請求項１３】
前記第２の生成手段は、１フレームの撮影期間ごとに前記差分画像を生成することを特徴とする請求項１乃至１２のいずれか１項に記載の撮影制御装置。
【請求項１４】
連続する２つのリセットに挟まれた期間に、二次元検出器において少なくとも２回のサンプリングを行うことにより、互いに異なる放射線エネルギーの第１の画像と第２の画像を１フレームの撮影期間において取得する取得手段と、
前記第１の画像と前記第２の画像についてエネルギーサブトラクション処理を行い、エネルギーサブトラクション画像を生成する第１の生成手段と、
複数のエネルギーサブトラクション画像を用いて差分画像を生成する第２の生成手段と、を備えることを特徴とする撮影制御装置。
【請求項１５】
放射線撮影のための撮影制御方法であって、
１ショット間にエネルギーが変化する放射線が被写体に照射され、当該１ショット間に前記被写体を透過した前記放射線を複数回検出して得られた、互いに異なる放射線エネルギーによる複数の画像を取得する取得工程と、
複数の画像を用いてエネルギーサブトラクション処理を行い、エネルギーサブトラクション画像を生成する第１の生成工程と、
前記第１の生成工程で生成された複数のエネルギーサブトラクション画像を用いて差分画像を生成する第２の生成工程と、を備え、
前記第１の生成工程は、第１の放射線エネルギーにより得られる第１の画像と、前記第１の放射線エネルギーとは異なる第２の放射線エネルギーにより得られる第２の画像を用いてエネルギーサブトラクション処理を行って、第１の物質の厚さに関わる第１のエネルギーサブトラクション画像と、前記第１の物質とは異なる第２の物質の厚さに関わる第２のエネルギーサブトラクション画像を生成し、
前記第２の生成工程は、前記第１のエネルギーサブトラクション画像を用いてデジタル差分血管造影法による差分画像を生成し、
前記第１の生成工程は、前記第１の物質と前記第２の物質の厚みの変化により生じる減弱率の変化を考慮した前記第１の画像が示す減弱率と前記第２の画像が示す減弱率の組合せに応じて第１の物質と第２の物質の厚みが登録された２次元のテーブルを参照し、前記第１の画像と前記第２の画像から前記第１の物質の厚さに関わる前記第１のエネルギーサブトラクション画像と前記第２の物質の厚さに関わる前記第２のエネルギーサブトラクション画像を得ることを特徴とする撮影制御方法。
【請求項１６】
放射線撮影のための撮影制御方法であって、
１ショット間にエネルギーが変化する放射線が被写体に照射され、当該１ショット間に前記被写体を透過した前記放射線を複数回検出して得られた、互いに異なる放射線エネルギーによる複数の画像を取得する取得工程と、
複数の画像を用いてエネルギーサブトラクション処理を行い、エネルギーサブトラクション画像を生成する第１の生成工程と、
前記第１の生成工程で生成された複数のエネルギーサブトラクション画像を用いて差分画像を生成する第２の生成工程と、を備え、
前記第１の生成工程は、第１の放射線エネルギーにより得られる第１の画像と、前記第１の放射線エネルギーとは異なる第２の放射線エネルギーにより得られる第２の画像を用いてエネルギーサブトラクション処理を行って、実効原子番号の画像と面密度の画像を前記エネルギーサブトラクション画像として取得することを特徴とする撮影制御方法。
【請求項１７】
放射線撮影のための撮影制御方法であって、
連続する２つのリセットに挟まれた期間に、二次元検出器において少なくとも２回のサンプリングを行うことにより、互いに異なる放射線エネルギーの第１の画像と第２の画像を１フレームの撮影期間において取得する取得工程と、
前記第１の画像と前記第２の画像についてエネルギーサブトラクション処理を行い、エネルギーサブトラクション画像を生成する第１の生成工程と、
複数のエネルギーサブトラクション画像を用いて差分画像を生成する第２の生成工程と、を備えることを特徴とする撮影制御方法。
【請求項１８】
請求項１乃至１４のいずれか１項に記載された撮影制御装置と、
二次元検出器を含む放射線撮影装置と、
放射線を発生する放射線発生装置と、を備えることを特徴とする放射線撮影システム。
【請求項１９】
請求項１６または１７のいずれか１項に記載された撮影制御方法の各工程をコンピュータに実行させるためのプログラム。
【手続補正２】
【補正対象書類名】明細書
【補正対象項目名】０００８
【補正方法】変更
【補正の内容】
【０００８】
本発明の一態様による放射線撮影装置は以下の構成を備える。すなわち、
１ショット間にエネルギーが変化する放射線が被写体に照射され、当該１ショット間に前記被写体を透過した前記放射線を複数回検出して得られた、互いに異なる放射線エネルギーによる複数の画像を取得する取得手段と、
複数の画像を用いてエネルギーサブトラクション処理を行い、エネルギーサブトラクション画像を生成する第１の生成手段と、
前記第１の生成手段で生成された複数のエネルギーサブトラクション画像を用いて差分画像を生成する第２の生成手段と、を備え、
前記第１の生成手段は、第１の放射線エネルギーにより得られる第１の画像と、前記第１の放射線エネルギーとは異なる第２の放射線エネルギーにより得られる第２の画像を用いてエネルギーサブトラクション処理を行って、第１の物質の厚さに関わる第１のエネルギーサブトラクション画像と、前記第１の物質とは異なる第２の物質の厚さに関わる第２のエネルギーサブトラクション画像を生成し、
前記第２の生成手段は、前記第１のエネルギーサブトラクション画像を用いてデジタル差分血管造影法による差分画像を生成し、
前記第１の生成手段は、前記第１の物質と前記第２の物質の厚みの変化により生じる減弱率の変化を考慮した前記第１の画像が示す減弱率と前記第２の画像が示す減弱率の組合せに応じて第１の物質と第２の物質の厚みが登録された２次元のテーブルを参照し、前記第１の画像と前記第２の画像から前記第１の物質の厚さに関わる前記第１のエネルギーサブトラクション画像と前記第２の物質の厚さに関わる前記第２のエネルギーサブトラクション画像を得る。